(57)【要約】【課題】手に回旋方向の付勢力を与えることができる身体装着具を提供する。【解決手段】身体装着具１は、弾性的に伸長可能な平帯状の帯状体２と、この帯状体２の前端側に設けられた指通し部５と、帯状体２の後端側に設けられた平面ファスナ６とを有する。指通し部５に手Ｈの指Ｆを通し、帯状体２を引張りながら前腕に螺旋状に巻き付け、平面ファスナ６で留め付ける。【選択図】図１
2005111155.tif 000002
【特許請求の範囲】
【請求項１】
少なくとも一部が長手方向に弾性的に伸長可能な帯状体と、
該帯状体の一端側に設けられた、手又は指が装着可能な装着部と、
該帯状体の他端側と帯状体の長手方向の途中部分とを着脱可能に結合する結合手段と
を備えてなる身体装着具。
【請求項２】
請求項１において、該装着部は、指が挿入可能な環状又は袋状であることを特徴とする身体装着具。
【請求項３】
請求項１又は２において、該結合手段は平面ファスナであることを特徴とする身体装着具。
【請求項４】
請求項１ないし４のいずれか１項において、該帯状体の該他端側には、皮膚面に沿う滑りを防止しうる滑り防止面が設けられていることを特徴とする身体装着具。
【請求項５】
請求項４において、該滑り防止面はゴムにて構成されていることを特徴とする身体装着具。
【請求項６】
少なくとも一部が長手方向に弾性的に伸長可能な帯状体と、
該帯状体の一端側に設けられた、手又は指に装着可能な第１装着部と、
該帯状体の他端側に設けられた、前腕に装着可能な第２装着部と、
を備えてなる身体装着具。
【請求項７】
請求項６において、該第１装着部は、指が挿入可能な環状又は袋状であることを特徴とする身体装着具。
【請求項８】
請求項１ないし７のいずれか１項において、該帯状体には、長手方向に弾性的に伸長可能な部分が長手方向に１５〜５０ｃｍにわたって存在することを特徴とする身体装着具。
【請求項９】
請求項１ないし８のいずれか１項において、該帯状体は長手方向の半分以上が長手方向に弾性的に伸長可能であることを特徴とする身体装着具。
【請求項１０】
請求項１ないし８のいずれか１項において、該帯状体は全体が長手方向に弾性的に伸長可能であることを特徴とする身体装着具。
【請求項１１】
請求項１ないし１０のいずれか１項において、該帯状体は、一方の側辺の長さが他方の側辺の長さよりも長くなるように屈曲又は湾曲した形状となっていることを特徴とする身体装着具。
【請求項１２】
請求項１ないし１１のいずれか１項において、該帯状体は、長手方向に９．８Ｎ（１ｋｇｆ）の力を加えたときの伸びが３０〜１６０ｍｍであることを特徴とする身体装着具。
【請求項１３】
前腕が挿入される筒状体と、
該筒状体の一端側に設けられた手又は指が装着可能な装着部と、
該筒状体の他端側に設けられた、該筒状体を前腕に固定しうる固定手段と
を備えてなり、該筒状体は、ひねり方向に弾性的に変形可能であることを特徴とする身体装着具。
【発明の詳細な説明】
【技術分野】
【０００１】
本発明は身体装着具に係り、特に運動時に手から前腕にかけて装着する場合に好適な身体装着具に関する。さらに詳しくは、本発明はゴルフ等の練習時に手から前腕にかけて装着するのに極めて好適な身体装着具に関する。
【背景技術】
【０００２】
ゴルフのスイングを矯正することを目的とした種々の練習器具が提案されている。
【０００３】
特開平６−３９０６７号公報には、１対の円環形の枠を一体化してなる板をベルトで前腕に固定し、シャフトが該１対の枠同士の間のみを動き得るようにしたゴルフスイング矯正器が記載されている。
【０００４】
また、特開平１０−１１８２３７号公報には、前腕の手首寄りに固定される取付ベルトと、この取付ベルトから手の甲に沿って延在する細長い板片と、この板片の先に設けられた、利き腕の中指が挿入される紐輪とを備えてなるリストホルダーが記載されている。このリストホルダーは、右手などの利き腕のリストをコック状態に保ったままスイングできるようにするためのものである。
【特許文献１】特開平６−３９０６７号公報
【特許文献２】特開平１０−１１８２３７号公報
【発明の開示】
【発明が解決しようとする課題】
【０００５】
ゴルフの初心者にスライス（右打ちの場合、打球が右方向に曲がること）が多い理由の一つに、インパクト（ゴルフクラブヘッドがボールに当る時）前後にリストターン並びにアームローテーションが不十分であることが挙げられる。
【０００６】
第７図は右打ちゴルファーにとっての左腕のリストターン並びにアームローテーションを示す図である。インパクト前には、（ａ）図のように親指側が小指側よりも右側に位置し、インパクト後には（ｂ）図のように親指側が小指側よりも左側に位置するようにリストターン並びにアームローテーションが行われることにより、スライスが防止ないし抑制され、あるいは打球がドローないしフック系（右打ちの場合、打球が左方向に曲がる球筋）になる。
【０００７】
なお、このリストターン並びにアームローテーションに際しては、上腕はロールせず、前腕遠位（前腕の手首側）において尺骨が橈骨の上側を移動するように肘関節を回動基端として前腕がロール（回旋。この場合のロールは回外である。）する。
【０００８】
上記の特開平６−３９０６７号公報のゴルフスイング矯正器は、スイング時における手の甲の動き方向を規制するためのものであり、前腕のロールを適正化する作用は奏しない。
【０００９】
上記の特開平１０−１１８２３７号公報のリストホルダーは、手首のコック状態を保つためのものであり、同様に前腕のロールを適正化する作用は奏しない。
【００１０】
本発明は、手に回旋方向の付勢力を与えることができる身体装着具を提供することを目的とする。
【課題を解決するための手段】
【００１１】
本発明（請求項１）の身体装着具は、少なくとも一部が長手方向に弾性的に伸長可能な帯状体と、該帯状体の一端側に設けられた、手又は指が装着可能な装着部と、該帯状体の他端側と帯状体の長手方向の途中部分とを着脱可能に結合する結合手段とを備えてなるものである。
【００１２】
この身体装着具は、装着部を指又は手に装着し、帯状体を引き伸しながら螺旋状に前腕に巻き付け、帯状体の他端側を帯状体の長手方向の途中部分に結合する。このように、前腕に螺旋状に巻き付けられた帯状体により、手が回旋方向に付勢される。手首が回外方向に付勢されるように帯状体の巻き方向を選定することにより、ゴルフスイング時のリストターン並びにアームローテーションが助勢・促進される。この結果、スライスの防止ないし抑制を図ったり、球筋をドローないしフック系にすることが促される。
【００１３】
なお、帯状体の巻き方向をこれと逆方向とし、手首が回内方向（第７図の矢印と反対方向）に付勢されるようにしてもよい。この場合は、球筋がフック系のゴルファーのリストターン並びにアームローテーションを抑制し、フックの抑制や球筋をストレート、フェードないしスライス系にすることを促すことができる。
【００１４】
なお、この身体装着具の装着部としては指が挿入される環状又は袋状のものが例示される（請求項２）。結合手段としては平面ファスナが例示される（請求項３）。
【００１５】
この身体装着具にあっては、帯状体の他端側に、皮膚（前腕外面）に沿って帯状体が滑ることを防止するための滑り防止面を設けることが好適である（請求項４）。この滑り防止面は、例えばゴムにて構成することができる（請求項５）。
【００１６】
本発明（請求項６）の身体装着具は、少なくとも一部が長手方向に弾性的に伸長可能な帯状体と、該帯状体の一端側に設けられた、手又は指に装着可能な第１装着部と、該帯状体の他端側に設けられた、前腕に装着可能な第２装着部と、を備えてなるものである。
【００１７】
かかる身体装着具は、第１装着部を指又は手に装着し、帯状体を螺旋状に引き伸しながら前腕に巻き付け、次いで第２装着部を前腕に固定する。
【００１８】
この身体装着具にあっても、前腕に螺旋状に巻き付けられた帯状体によって手が回旋方向に付勢される。前述の通り、手を回外方向に付勢することによりスライスが防止ないし抑制される。また、手を回内方向に付勢することにより、フックが防止ないし抑制される。
【００１９】
この身体装着具（請求項６）にあっても、装着部としては、指が挿入可能な環状又は袋状のものが例示される（請求項７）。
【００２０】
この帯状体には、長手方向に弾性的に伸長可能な部分が長手方向に１５〜５０ｃｍにわたって存在することが好ましい（請求項８）。
【００２１】
この帯状体は、長手方向の半分以上が長手方向に弾性的に伸長可能であることが好ましく（請求項９）、全体が弾性的に伸長するものであってもよい（請求項１０）。
【００２２】
帯状体は一直線状に延在するものであってもよいが、一方の側辺の長さが他方の側辺の長さよりも長くなるように屈曲又は湾曲した形状としてもよい。後者のように屈曲又は湾曲した形状の帯状体は、長さの短い方の側辺が前腕遠位側となるように前腕に螺旋状に巻き付けられたときに、帯状体の側辺に沿う部分も前腕に密着させ易くなる。
【００２３】
この帯状体は、長手方向に９．８Ｎ（１ｋｇｆ）の力を加えたときの伸びが３０〜１６０ｍｍであることが望ましい。この範囲の弾性特性を有する帯状体は、これを前腕に螺旋状に巻き付けた際に手に適度な回旋方向の付勢力を与えることができる。
【００２４】
本発明（請求項１３）の身体装着具は、前腕が挿入される筒状体と、該筒状体の一端側に設けられた手又は指が装着可能な装着部と、該筒状体の他端側に設けられた、該筒状体を前腕に固定しうる固定手段とを備えてなり、該筒状体は、ひねり方向に弾性的に変形可能であることを特徴とするものである。
【００２５】
この身体装着具においても、装着部を手又は指に装着し、筒状体をひねった後、該筒状体の他端側を前腕に固定することにより、手に対し回旋方向の付勢力を与えることができる。
【発明の効果】
【００２６】
本発明（請求項１〜１３）の身体装着具は、ゴルフ練習場等で身体に装着して使用する場合、前腕の回外又は回内が促進されてスライスやフックが防止ないし抑制される。そして、この前腕の回外又は回内を促進することによりスライスやフックが防止ないし抑制されることを体感し、そのコツを体得することにより、身体装着具を外した場合でも、身体装着具を装着していた場合と同様の球筋のボールを打つことが可能となる。
【００２７】
本発明の身体装着具は、野球やテニスなど、ゴルフ以外の運動にも用いることができる。
【発明を実施するための最良の形態】
【００２８】
以下、図面を参照して実施の形態について説明する。
【００２９】
第１図（ａ），（ｂ）は実施の形態に係る身体装着具の平面図、第２図は第１図のII−II線に沿う断面図、第３図及び第４図は第１図（ｂ）の身体装着具の使用例の説明図、第５図及び第６図は第１図（ｂ）の身体装着具の別の使用例の説明図である。
【００３０】
この身体装着具１は、弾性的に伸長可能な平帯状の帯状体２と、この帯状体２の一端側（以下、前端側ということがある。）に設けられた指通し部５と、帯状体２の他端側（以下、後端側ということがある。）に設けられた平面ファスナ６とを有する。
【００３１】
帯状体２は、前端側の前部帯状体３と後端側の後部帯状体４とを繋いだものである。
【００３２】
この身体装着具１は、ゴルフの練習時に装着するのに好適なものであり、前部帯状体３の長さは好ましくは１０〜３０ｃｍ特に好ましくは１５〜２５ｃｍ、後部帯状体４の長さは好ましくは１５〜３５ｃｍ特に好ましくは２０〜３０ｃｍである。
【００３３】
帯状体２の全長（側辺２ａ側を一直線状としたときの長さ）は３０〜７０ｃｍ特に３５〜６０ｃｍとりわけ４０〜５５ｃｍ程度が好適である。
【００３４】
この帯状体２は、前部帯状体３と後部帯状体４とが「く」字形に繋がっており、一方の側辺２ａの方が他方の側辺２ｂよりも短くなっている。前部帯状体３の側辺と後部帯状体４の側辺との交叉角度は１３０〜１７０°特に１４０〜１６５°とりわけ１４５〜１６０°程度が好適である。
【００３５】
帯状体２の幅は３〜１０ｃｍ特に４〜９ｃｍとりわけ５〜８ｃｍ程度が好適である。
【００３６】
この実施の形態では、前部帯状体３の前端側は、前端ほど幅が小さくなる形状となっており、その他は略等幅となっているが、帯状体２の長手方向全体にわたって略同一幅となっていてもよい。
【００３７】
前部帯状体３は、発泡ゴム等よりなる弾性層３ａを芯材とし、その一方の面に編布よりなる編布層３ｂが付着され、他方の面に起毛層３ｃが付着されたものである。編布層３ａの編布は、前部帯状体３の長手方向に柔軟に伸長しうる編み方を施されたものである。
【００３８】
後部帯状体４は、発泡ゴム等よりなる弾性層４ａを芯材とし、その一方の面（前部帯状体３の編布層３ｂと同一側の面）に軟質ゴムあるいは軟質合成樹脂よりなる滑り止め層４ｂが付着され、他方の面に起毛層４ｃが付着されたものである。
【００３９】
前部帯状体３と後部帯状体４とは、縫糸７により縫着されている。
【００４０】
後部帯状体４の後端側から平面ファスナ６が延出している。この平面ファスナ６は、後部帯状体４に対し縫糸８により取り付けられている。該平面ファスナ６は、一方の面（編布層３及び滑り止め層４ｂと同一側の面）に多数の微小なフック６ａが立設されたものである。前記起毛層３ｃ，４ｃには多数のループ状の起毛が設けられており、フック６ａはこの起毛層３ｃ，４ｃに着脱可能に固着可能である。
【００４１】
上記の編布層３ｂ及び起毛層３ｃ，４ｃの構成材料は合成繊維である。
【００４２】
この身体装着具には、第１図（ａ）に示す右腕用の身体装着具１Ｒと、第１図（ｂ）に示す左腕用の身体装着具１Ｌがある。両者の使用法は、装着する腕が異なるだけであり、装着形態は面対称（鏡像）の関係になるので、以下に左腕用の身体装着具１Ｌを左腕に装着した使用例について第３図〜第６図を参照して説明する。
【００４３】
第３，４図は、スライスの防止ないし抑制のためにこの身体装着具１Ｌによって手に回外方向の付勢力を加えるための装着形態を示している。
【００４４】
この身体装着具１Ｌを装着するには、まず指通し部５に手Ｈの指Ｆを通す。次に、掌が装着者の顔面を指向した第３図（ａ）の状態とし、前部帯状体３又は後部帯状体４を引張りながら帯状体２を螺旋状に前腕Ａに巻き付ける。
【００４５】
この際、指通し部５に連なる部分を、まず手Ｈの甲側（手側）を通し、次いで手首付近から前腕Ａの内側に通し、その後前腕Ａの左側から前腕Ａの外側に回り込む方向に帯状体２を巻回する。また、この巻回に際しては、帯状体２を引張っておき、親指の付け根付近に甲側への引張力が作用するようにする。帯状体２の全体を巻き付け終った後、平面ファスナ６を後部帯状体４の起毛層４ｃに押し付けて固着させる。なお、第３図（ａ）及び第４図は、この巻き付けが終了した状態であって、前腕をまだ回旋していない状態を示している。第４図は第３図（ａ）の様子を甲側から描写している。
【００４６】
この巻き付け終了後、第３図（ｂ）のように手Ｈを回内方向に約９０°回し、ゴルフクラブのグリップを握ってアドレスに入り、ボールを打つべくスイングを行う。
【００４７】
第３図（ｂ）のように手Ｈ及び前腕Ａを回内方向に回すと、帯状体２の引張力が増加し、親指Ｆの付け根付近に回外方向の付勢力が作用する。
【００４８】
このため、バックスイングの開始からインパクトにかけて、手Ｈ及び前腕遠位には常に回外方向の付勢力が働き、インパクト時のリストターン並びにアームローテーション動作が促進される。この結果、スライスの出易い人がこの身体装着具を装着した場合、リストターン並びにアームローテーションが略適正に行われ、スライスが防止ないし抑制されるようになる。
【００４９】
この実施の形態においては、上記の巻き付けに際し、短い方の側辺２ａが長い方の側辺２ｂよりも前腕遠位側に配置される。
【００５０】
前腕は、遠位側ほど細くなるものであるが、短い方の側辺２ａをこのように配置することにより、該側辺２ａ側と前腕外面との間に隙間が生じることを防止ないし減少させることができる。
【００５１】
なお、帯状体２の巻き付け強さ（張力）を調整することにより、この左腕に加えられる回旋方向への付勢力を調整することができる。
【００５２】
左腕のリストターン並びにアームローテーションだけではなく、右腕のリストターン並びにアームローテーションも促進する必要があるときには、右腕に右腕用身体装着具１Ｒを装着する。この場合、帯状体２によって左腕のターン方向と同方向の付勢力が右腕の手及び前腕に作用するように巻き付けを行う。
【００５３】
上記説明は、スライスの防止ないし抑制の使用例に関するものであるが、第５，６図のように巻き付け方向を逆方向とすることにより、この身体装着具１Ｌを装着した左腕の親指の付け根付近に回内方向の付勢力を作用させ、フックの抑制ないし防止を図る使用も可能である。
【００５４】
この第５，６図の使用を行うときには、第５図（ａ）のように手の甲が装着者の顔面を向くように前腕を回内させておく。この状態で第５図（ａ）に示す方向（帯状体２のうち指通し部５に連なる部分がまず掌側に引き通される巻き方向）に帯状体２を巻き付ける。この際、帯状体２を引張りながら巻き付けるのは、前記第３図の場合と同じである。巻き終わったならば、平面ファスナ６を起毛層４ｃに固着させる。なお、第６図は第５図（ａ）の様子を反対側から見た状態を示している。
【００５５】
第５図（ａ）の状態から手Ｈ及び前腕Ａを回外方向に回した状態が第５図（ｂ）である。この第５図（ｂ）の状態では、親指Ｆの付け根付近に回内方向の付勢力が作用している。従って、この第５図（ｂ）の状態でグリップし、スイングを行うと、バックスイングからインパクトにかけて左腕の手Ｈ及び前腕遠位には回内方向の付勢力が作用している。このため、リストターン並びにアームローテーションが抑制され、急激なリストターン並びにアームローテーションに伴うフックが抑制ないし防止される。
【００５６】
なお、この実施の形態では、後部帯状体４の身体接触面がゴムよりなる滑り止め層４ｂとなっているので、平面ファスナ６を起毛層４ｃに固着した後に帯状体２から手を離しても、後部帯状体４は前腕Ａにしっかりと縛着された状態を保ち、帯状体２が緩まない。
【００５７】
上記実施の形態では帯状体２が一方向に延在するものとなっており、後部帯状体４は前腕Ａに縛り付けられる機能と、手Ｈを引張る機能との双方を有するものとなっているが、後部帯状体４を図示よりも短くし、後部帯状体４が主として又は専ら前腕Ａに縛り付けられる機能を有するものとしてもよい。
【００５８】
本発明では、第８図の身体装着具１１のように後部帯状体１２を前部帯状体３にＴ字形に変わる構成としてもよい。この第８図の実施の形態では、後部帯状体１２の長手方向の途中の側辺に前部帯状体３の後端が結合されている。前部帯状体３と後部帯状体１２とは直角に交わってもよく、斜めに交わってもよい。後部帯状体１２の身体接触面は、ゴムよりなる滑り止め層となっており、反対側は起毛層となっている。後部帯状体１２の長手方向の一端に平面ファスナ６が設けられている。
【００５９】
この第８図の身体装着具１１のその他の構成は前記実施の形態の身体装着具１と同様であり、同一符号は同一部分を示している。
【００６０】
この身体装着具１１は、指通し部５を手の親指に掛け、前部帯状体３を引張りながら螺旋状に巻き付け、その後後部帯状体１２を前腕付近に巻き付け、平面ファスナ６を後部帯状体１２の外向き面の起毛層に係着させるようにして用いられる。この身体装着具１１によっても、手を回内方向又は回外方向に付勢することができる。
【００６１】
上記実施の形態では、いずれも指通し部５によって身体装着具の先端を手に係止させる構成としているが、第９図の身体装着具１’のように、指通し部５の代りにグローブ１３を設けてもよい。第９図の身体装着具１’のその他の構成は第１図〜第６図の身体装着具１と同様であり、同一符号は同一部分を示している。第９図では身体装着具１においてグローブ１３を採用した構成となっているが、第８図の身体装着具１１においても指通し部の代りにグローブを用いてもよい。
【００６２】
また、本発明では、指通し部やグローブの代りに掌にのみ装着されるベルト状物や、指先を取り去った構成のグローブなどを先端側に設けてもよく、要するに、先端側は手又は指に係止しうるよう構成されていればよい。
【００６３】
上記実施の形態では、帯状体２は「く」字形に屈曲しているが、湾曲していてもよい。もちろん、帯状体は一直線状であってもよい。一直線状の場合は左右兼用となる。
【００６４】
帯状体は、長手方向に９．８Ｎ（１ｋｇｆ）の力を加えたときの伸びが３０〜１６０ｍｍ特に５０〜１４０ｍｍとりわけ７０〜１２０ｍｍであることが好ましい。帯状体は全体が弾性を有していてもよいが、部分的に弾性伸長しないものであってもよい。
【００６５】
また、上記実施の形態では、帯状体によって手に回旋方向の付勢力を与えるようにしているが、ゴム等の弾性材料よりなる筒状体によってこの付勢力を与えるよう構成してもよい。この筒状体は前腕に装着されるものであり、先端側に指通し部やグローブ等の手への装着部が設けられ、後端側に、筒状体を前腕近位に固定するためのバンド等の固定手段が設けられる。
【００６６】
上記実施の形態はいずれも本発明の一例であり、本発明は図示以外の形態をもとりうる。本発明の技術的範囲は、特許請求の範囲の記載と均等なすべてに及ぶものである。
【００６７】
上記説明は、身体装着具を主としてゴルフ練習時に装着するものとしているが、本発明の身体装着具は、野球のバッティングやスローイング、テニス等にも用いうるものである。
【図面の簡単な説明】
【００６８】
【図１】第１図（ａ），（ｂ）は実施の形態に係る身体装着具の平面図である。
【図２】第１図のII−II線に沿う断面図である。
【図３】第１図（ｂ）の身体装着具の使用例の説明図である。
【図４】第１図（ｂ）の身体装着具の使用例の説明図である。
【図５】第１図（ｂ）の身体装着具の別の使用例の説明図である。
【図６】第１図（ｂ）の身体装着具の別の使用例の説明図である。
【図７】前腕の回旋動作の説明図である。
【図８】別の実施の形態の説明図である。
【図９】さらに別の実施の形態の説明図である。
【符号の説明】
【００６９】
１，１’，１１  身体装着具
２  帯状体
３  前部帯状体
４，１２  後部帯状体
５  指通し部
６  平面ファスナ
１３  グローブ
【図１】
2005111155.tif 000003
【図２】
2005111155.tif 000004
【図３】
2005111155.tif 000005
【図４】
2005111155.tif 000006
【図５】
2005111155.tif 000007
【図６】
2005111155.tif 000008
【図７】
2005111155.tif 000009
【図８】
2005111155.tif 000010
【図９】
2005111155.tif 000011